(57)【要約】【課題】画像データに色補正を行う印刷処理において電力消費を低減する印刷装置を提供する。【解決手段】印刷装置はサブボードにおいて、記録媒体の種類に応じた色補正を画像データに行うためのデータと記録媒体の種類とを対応付けて格納し、情報処理装置から記録媒体の種類を示す情報を受信する。また、サブボードにおいて情報処理装置から受信した情報に基づき、その情報が示す記録媒体の種類に対応付けられたデータが格納されているかを判定する。格納されていると判定された場合、サブボードにおいてデータを情報処理装置に送信し、情報処理装置から色補正の対象の画像データを受信し、メインボードにおいてその画像データに基づき画像を印刷する。印刷装置は、メインボードへの電力供給を制限することにより省電力モードとし、情報処理装置から色補正の対象となる画像データを受信すると省電力モードから復帰させる。【選択図】図５
2012224079.tif 000002
【特許請求の範囲】
【請求項１】
通常電力モードと省電力モードとで動作可能な印刷装置であって、
電源部と、
外部装置と通信を行う通信手段を有し、前記通常電力モードと前記省電力モードにおいて前記電源部から電力供給を受ける第１の制御手段と、
色補正データを取得する取得手段と、前記印刷装置が前記通常電力モードから前記省電力モードへ移行するために前記電源部からの電力供給が停止される前に、前記印刷装置に設定されている記録媒体の種類に対応する色補正データを前記第１の制御手段へ転送する転送手段と、を有する第２の制御手段と、
を備えることを特徴とする印刷装置。
【請求項２】
前記第１の制御手段は、前記転送手段によって転送された色補正データを格納する格納手段をさらに有する、ことを特徴とする請求項１に記載の印刷装置。
【請求項３】
前記省電力モードにおいて、前記通信手段によって前記外部装置から前記記録媒体の種類を示す情報を受信すると、前記情報が示す記録媒体の種類に対応付けられた色補正データが前記格納手段に格納されている場合に、前記通信手段は、前記色補正データを前記外部装置に送信する、ことを特徴とする請求項２に記載の印刷装置。
【請求項４】
前記情報が示す記録媒体の種類に対応付けられた色補正データが前記格納手段に格納されていない場合に、前記印刷装置は、前記情報に示される記録媒体に対応する色補正データの取得を行うために前記省電力モードから前記通常電力モードへ移行する、ことを特徴とする請求項３に記載の印刷装置。
【請求項５】
前記取得手段は、記録媒体に印刷されたパターンを測色する測色手段と、前記測色手段によって測色された結果に基づいて色補正データを生成する生成手段と、前記生成手段によって生成された色補正データを格納する第２格納手段とを有する、ことを特徴とする請求項１に記載の印刷装置。
【発明の詳細な説明】
【技術分野】
【０００１】
本発明は、色補正処理を行った画像データに基づき画像を印刷する印刷装置に関する。
【背景技術】
【０００２】
従来より、カラー印刷装置における色再現は、印刷装置ごとの固体特性、室温や経過時間などの使用条件、記録媒体となる用紙種類等によって濃度や色味に大きく影響を受けることが知られている。そのため、印刷装置において実画像の出力前に使用する記録媒体に対して基準色のテストパターンデータを出力し、測色装置を用いて出力されたテストパターンの測色を行った結果となる色補正データを基に画像データに対し色補正が行われる。具体的には、測色装置によって読み取った色補正データを画像出力元となるホスト装置（ＰＣ等）に送信し、ホスト装置上で理想値との比較差分から多次元ルックアップテーブルを用いた色補正パラメータを算出する。そして、その算出された色補正パラメータを用いて実際の出力画像データに対して印刷装置での出力色がホスト装置での表示色と一致するように色補正を行った後、印刷装置に送信し、出力を行わせることにより出力時の色再現を実現する。
【０００３】
しかしながら、色再現を重視する画像出力の度に、上記色補正のための一連の動作を行っていては記録媒体となる用紙、および画像形成方式により異なるがインクジェット方式であればインク、電子写真方式であればトナーといった消耗品を浪費することとなる。さらに、テストパターンの出力や測色には一定の時間を要するため、印刷装置全体としての使用効率の低下を招いてしまう。そのため、色補正データを時間情報と共に印刷装置で記憶し、一定時間の経過や室温変化等の使用条件の変化、用紙種類の変更等が行われるまでの間は同一の色補正データを用いることにより、上記のような問題を防ぐ方法が考えられている。また、色補正データを印刷装置側で記憶する代わりに出力を行ったホスト装置に記憶する印刷システムも提案されている（特許文献１）。
【０００４】
特許文献１では、印刷装置には色補正データを取得したホスト装置の特定情報を記憶しておき、他のホスト装置からの色補正要求がなされた場合、ホスト特定情報を利用して同一回線上にある色補正データを記憶するホスト装置から色補正データの取得を行う。これにより、色補正のための一連の動作を省略し、かつホストベースで駆動されるような記憶領域の少ない印刷装置においても実現を可能としている。
【０００５】
近年では、環境に対する配慮から省エネルギー化を促進する傾向が顕著になってきている。未使用期間が一定時間以上続くと省電力状態に移行する印刷装置が一般的となっている。例えば、データ受信やユーザからの操作にのみ応答して通常動作状態に復帰するために必要な最小限の機能ブロック以外に対する給電を停止することにより省電力化が行われる。また、省電力状態を少しでも長く保持するために、ホスト装置上のステータスモニタ等のアプリケーションによる印刷装置状態の定期的な問い合わせ等に対しては、省電力状態から復帰させることなく通信制御部のみで応答する印刷装置も考えられている。
【先行技術文献】
【特許文献】
【０００６】
【特許文献１】特開２００３−３４５５７２号公報
【発明の概要】
【発明が解決しようとする課題】
【０００７】
しかしながら、従来においては、印刷装置内に使用可能な色補正データが記憶されている場合であっても、ホスト装置から色補正データの取得要求を受信した時点で印刷装置を省電力状態から復帰させる必要があった。従って、色補正データのホスト装置への送信、及び、ホスト装置での色補正パラメータの算出と出力画像データへの色補正処理が完了するまでの間、印刷装置は通常動作状態のまま待機する必要があり、不要な電力消費が発生していた。
【０００８】
ホスト装置に色補正データを記憶する構成にしたとしても、ホスト特定情報は印刷装置内に記憶しているので、印刷装置は通常動作状態に復帰せざるを得ず、さらに色補正データを記憶したホスト装置も起動している必要があった。ネットワークインタフェースのように複数のホスト装置に対して複数の印刷装置が接続される環境においては、各印刷装置の台数分、各用紙種類別に色補正データを記憶する必要があり、ホスト装置に記憶するデータ量が多くなってしまう。また、複数のホスト装置が各用紙種類別に色補正データを記憶している場合には、複数のホスト装置が起動している必要性があるので、印刷システム全体での不要な消費電力は大きなものとなってしまう。従って、色補正データは印刷装置内に記憶する構成にすることが望ましい。
【０００９】
本発明の目的は、このような従来の問題点を解決することにある。本発明は、画像データに色補正を行う印刷処理において電力消費を低減する印刷装置を提供することを目的とする。
【課題を解決するための手段】
【００１０】
上記課題を解決するため、本発明に係る印刷装置は、通常電力モードと省電力モードとで動作可能な印刷装置であって、電源部と、外部装置と通信を行う通信手段を有し、前記通常電力モードと前記省電力モードにおいて前記電源部から電力供給を受ける第１の制御手段と、色補正データを取得する取得手段と、前記印刷装置が前記通常電力モードから前記省電力モードへ移行するために前記電源部からの電力供給が停止される前に、前記印刷装置に設定されている記録媒体の種類に対応する色補正データを前記第１の制御手段へ転送する転送手段と、を有する第２の制御手段と、を備えることを特徴とする。
【発明の効果】
【００１１】
本発明によると、画像データに色補正を行う印刷処理において電力消費を低減することができる。
【図面の簡単な説明】
【００１２】
【図１】印刷装置を含む印刷システムの構成を示す図である。
【図２】印刷装置の外観を示す斜視図である。
【図３】省電力を実現するための構成を示す図である。
【図４】ホスト装置と印刷装置との間でのデータの送受信を示す図である。
【図５】印刷装置がジョブデータを受信した際の処理の手順を示す図である。
【図６】省電力状態に移行する際の処理の手順を示す図である。
【図７】省電力状態で印刷装置がジョブデータを受信した際の処理を示す図である。
【発明を実施するための形態】
【００１３】
以下、添付図面を参照して本発明の好適な実施例を詳しく説明する。尚、以下の実施例は特許請求の範囲に係る本発明を限定するものでなく、また本実施例で説明されている特徴の組み合わせの全てが本発明の解決手段に必須のものとは限らない。なお、同一の構成要素には同一の参照番号を付して、説明を省略する。
【００１４】
〔実施例１〕
図１は、本発明に係る実施例における印刷装置の構成を示すブロック図である。また、図２は、本実施例における印刷装置１０１の外観を示す斜視図である。なお、本実施例において、印刷装置１０１としてインクジェット記録方式のカラープリンタを一例として説明する。
【００１５】
印刷装置１０１のメインボードであるコントローラユニット１０２は、プリンタエンジン１０３および測色部（測色装置）１１５と接続される。以下、後述する拡張ボードを第１の制御部の一例として、また、メインボードを第２の制御部の一例として説明する。ＣＰＵ１０４は、システム制御プログラムに基づき、印刷装置１０１の装置全体の制御を行う。ＲＯＭ１０５は、印刷装置１０１全体の制御プログラムであるシステム制御プログラムを格納している。ＲＡＭ１０６はデータの読み書きが可能なＲＡＭであり、ＲＯＭ１０５内のシステム制御プログラムが展開されて格納される。また、ＲＡＭ１０６は、画像処理部１０７での画像処理前後のデータを格納するバッファメモリとしても使用される。画像処理部１０７は、ＣＰＵ１０４の指示に応じてＲＡＭ１０６に保存された画像データに対して色空間処理やガンマ補正処理、誤差拡散法による量子化処理等を行い、プリンタエンジン１０３が出力可能な二値化データを生成する。エンジン制御部１０８は、プリンタエンジン１０３を制御し、画像処理部１０７で処理された画像データをプリンタエンジン１０３に転送する。また、エンジン制御部１０８は、測色部（測色装置）１１５との接続インタフェースを有しており、測色部１１５の動作制御ならびに測色部１１５からの色補正データの受信およびＲＡＭ１０６へのデータ転送を行う。
【００１６】
プリンタエンジン１０３は、インクを記録媒体に吐出することにより画像の形成を行う記録ヘッド、記録媒体となる用紙を搬送させるための紙搬送モータ、記録ヘッドを用紙の搬送方向に対して垂直に走査させるためのキャリッジモータを含む（不図示）。なお、本実施例において、記録媒体としてロール紙５０１を使用しており、プリンタエンジン１０３による画像形成後に測色部１１５に搬送される。また、プリンタエンジン１０３は、各種エラー検出用のセンサ等も含み（不図示）、エンジン制御部１０８の制御によりそれらを動作する。そして、エンジン制御部１０８は、記録ヘッド、紙搬送モータ、キャリッジモータを相互に駆動させ、記録ヘッドから吐出したインクを用紙上の所望の位置に定着させて用紙上に所望の画像を形成する。
【００１７】
測色部１１５は、測色センサおよび測色センサを用紙の搬送方向に対して垂直に走査させるための駆動モータを含み（不図示）、プリンタエンジン１０３を用いて出力したテストパターンに対して測色を行い、色補正データを生成する。ＣＰＵ１０４は色補正データを二次記憶部１１３（第２格納部の一例）に格納する。なお、測色部１１５を用いて測色を行う際の用紙搬送は、プリンタエンジン１０３が有する紙搬送モータを共用し、エンジン制御部１０８からの制御により動作する。
【００１８】
操作部Ｉ／Ｆ１０９は、操作部１１０とのインタフェースとして、ＲＯＭ１０５に格納されＲＡＭ１０６に展開された操作部１１０に表示する画像データを、操作部１１０が有する表示部に対して出力する。また、操作部Ｉ／Ｆ１０９は、操作部１１０が有する入力機能を用いてユーザが入力した情報をＣＰＵ１０４に伝える役割を有する。操作部１１０は、ユーザによる印刷装置１０１に対する設定の入力を行う入力機能、および印刷装置１０１からユーザへの通知を行うための表示機能を備えており、ユーザへの情報提示と指示入力の際に使用される。なお、本実施例において、印刷装置１０１に出力するために用いる用紙を設置する際、その設置される用紙種類、およびサイズの選択、登録等も操作部１１０を介してユーザが行う。
【００１９】
リアルタイムクロック１１１（ＲＴＣ）は、計時機能を有し、印刷装置１０１が必要とする日時情報の計測、記憶を行う。また、ＲＴＣ１１１には装置内で使用される電源と並列に電池電源１１２が接続されている。印刷装置１０１の電源がＯＦＦ状態や省電力状態（省電力モード）におけるコントローラユニット１０２への電力供給制限時（停止含む）等の場合であっても、ＲＴＣ１１１の動作を継続させ、日時情報の計時停止や消去を防止することができる。二次記憶部１１３は、磁気記録方式を用いた不揮発性であるハードディスクドライブ（ＨＤＤ）に接続されている。本実施例において、二次記憶部１１３は２つの領域を有する。一つは、ユーザの指定により画像データの格納を行い、外部のホスト装置３０１を用いることなく操作部１１０を用いた画像データの指定により画像出力を可能とするユーザデータ格納領域である。また、一つは、印刷装置１０１の処理パラメータ等を格納するシステム領域である。なお、本実施例における色補正データの記憶においては、二次記憶部１１３のシステム領域に対して、測色時に用いた用紙種類情報とＲＴＣ１１１から取得する測色を実施した日時情報とがセットで対応付けられて格納される。
【００２０】
拡張インタフェース１１４は、印刷装置１０１に対する機能拡張を行うための拡張ボード２０１（サブボード）を接続することができる。本実施例において、拡張ボード２０１は、コントローラユニット１０２の拡張インタフェース１１４と拡張インタフェース２０２を介して接続される。拡張ボード２０１は、ＣＰＵ２０３、ＲＯＭ２０４、ＲＡＭ２０５、ＬＡＮインタフェース２０６を含む。拡張ボード２０１は、ＬＡＮ２０７を介して情報処理装置であるホスト装置３０１と接続され、ジョブデータの受信や印刷装置１０１のステータス情報の送信を行う。なお、ＬＡＮ２０７およびＬＡＮインタフェース２０６は、例えばＥｔｈｅｒｎｅｔ（登録商標）インタフェース規格に則って構成される。ＣＰＵ２０３は、ＬＡＮインタフェース２０６のコントローラ部を内蔵しており、ＬＡＮ２０７を介したホスト装置３０１との通信制御を行う。ＲＯＭ２０４は、拡張ボード２０１の制御プログラムを格納している。ＲＡＭ２０５はデータの読み書きが可能なＲＡＭであり、ＲＯＭ２０４内のプログラムを展開し、拡張ボード２０１の制御プログラムの実行の際に使用される。ＲＡＭ２０５は、ジョブデータ受信時のバッファメモリとしても使用される。また、ホスト装置３０１上のステータスモニタ等のアプリケーションによる省電力状態における定期的な問い合わせに対して、通常動作状態（通常電力モード）に復帰することなく応答するためのステータス情報を格納するためのメモリとしても使用される。
【００２１】
ホスト装置３０１は一般的なＰＣであり、ＬＡＮ２０７に接続される。ホスト装置３０１上では印刷装置１０１の印刷設定、管理を行うドライバソフトウェアが動作している。出力画像の色再現性に関わる色空間変換やガンマ補正処理は、そのドライバソフトウェアにおいて実行される。なお、本実施例におけるテストパターンデータの作成、色補正データの受信、および受信した色補正データから前述する色空間変換やガンマ補正等のテーブル値を置き換えるパラメータ値の算出もドライバソフトウェアにおいて実行される。また、ステータスモニタ等のアプリケーションプログラムも動作しており、印刷装置１０１の状態、消耗品の残量確認などの定期的な問い合わせをＬＡＮ２０７を介して行う。
【００２２】
電源制御部２０８は、印刷装置１０１の電源管理部として省電力状態における機能ブロックごとの電力供給又は停止をＣＰＵ２０３からの指示に応じて行う。図３に示すように、電源制御部２０８は、ＣＰＵ２０３からのＧＰＩＯ（Ｇｅｎｅｒａｌ  Ｐｕｒｐｏｓｅ  Ｉ／Ｏ）ポート信号５０２が接続されており、それを制御信号として使用することで電源の制御を行う。電源制御部２０８は、図３に示すように、直流電圧変換デバイス（ＤＣ−ＤＣコンバータ）５０１及びスイッチ回路５０３を含んで構成されている。電源制御部２０８は、ＣＰＵ２０３からのポート信号５０２を制御信号として用いて、スイッチ回路５０３の切替えを行う。省電力状態では、スイッチ回路５０３はオフされ、電源部５０４からコントローラユニット１０２への電力供給は停止される。なお、スイッチ回路５０３は、例えばＦＥＴトランジスタおよびデジタルトランジスタを用いた無接点型スイッチ回路により構成されている。また、電源制御部２０８は、省電力状態においても常時、電源部５０４から電力供給が行われる。
【００２３】
つまり、本実施例においては、前述のポート信号５０２を用いた電源制御により、省電力状態では電源制御部２０８及び拡張ボード２０１以外への電力供給が停止される。それによりホスト装置３０１からのジョブデータ受信における通常動作状態への復帰、および省電力状態における定期的な通信問い合わせに対する応答を実現するのに必要な最小限の機能ブロックのみが動作可能な状態となる。
【００２４】
電源部５０４は、印刷装置１０１で使用する電源として交流電源（ＡＣ）から直流電源に変換する交流直流変換デバイス（ＡＣ−ＤＣコンバータ）が搭載されており、印刷装置１０１上で使用される電源を全て生成する。印刷装置１０１は、通常動作状態において省電力状態への移行条件を満たすと、電源制御部２０８に対してＣＰＵ２０３からのポート信号を用いた指示により、印刷装置１０１の一部分への電力供給の停止を行う。また、同様に、省電力状態において通常動作状態への復帰条件を満たした際には、電源制御部２０８に対してＣＰＵ２０３からのポート信号を用いた指示により電力供給の再開を行う。
【００２５】
以下、図４を参照しながら、印刷装置１０１とホスト装置３０１間において、色補正情報の取得要求に応じて新規に色補正データの取得を行う手順を説明する。図４は、印刷装置１０１とホスト装置３０１間で送受信する手順を示す図である。まず、ホスト装置３０１を介してユーザにより、色再現を重視する画像出力指定での出力指示がなされると、ホスト装置３０１はジョブデータとして印刷装置１０１へ送信するデータを準備する（Ｓ１０１）。なお、本実施例において色再現を重視するか否かの指定はドライバソフトウェア上でのチェックボックスによる指定の有無により行われる。次に、ジョブデータの準備が完了すると、ホスト装置３０１は、印刷装置１０１へジョブデータを送信する。ジョブデータには、印刷装置１０１が識別可能な、出力（印刷）に用いる用紙種類の情報、および色補正情報取得要求の有無の情報が含まれる（Ｓ１０２）。印刷装置１０１は、ジョブデータを受信するとそのジョブデータを解析し、色補正情報取得要求の有無を識別し、二次記憶部１１３内にジョブデータに含まれる用紙種類情報と一致する色補正データが格納されているか否かを判定する。ここで、二次記憶部１１３内に対象となる色補正データが格納されていないと判定された場合に、印刷装置１０１は、ホスト装置３０１にテストパターンデータの送信要求を発行する（Ｓ１０４）。
【００２６】
ホスト装置３０１は、印刷装置１０１から送信要求を受信し、ドライバソフトウェアが有するテストパターンデータを準備し（Ｓ１０５）、印刷装置１０１に送信する（Ｓ１０６）。次に、印刷装置１０１は、受信したテストパターンデータの出力を行い、測色部１１５を用いて出力したテストパターンの読み取りを行い（Ｓ１０７）、読み取った結果を色補正データ（測色データ）としてホスト装置３０１に送信する（Ｓ１０８）。ホスト装置３０１は、色補正データを受信すると、ドライバソフトウェア上で色補正データと理想値との比較差分から色補正パラメータを算出する。そして、出力対象の画像データに対して印刷装置１０１での出力色がホスト装置３０１での表示色と一致するように色補正処理を行った後（Ｓ１０９）、印刷装置１０１に色補正済み画像データを送信する（Ｓ１１０）。印刷装置１０１は、受信した色補正済み画像データを出力することで本処理を終了する（Ｓ１１１）。
【００２７】
次に、図５を参照しながら、本実施例における印刷装置１０１が通常動作状態において、ジョブデータを受信した際の画像出力ならびに色補正データを記憶する際の処理の手順を説明する。図５は、印刷装置１０１がジョブデータの受信を行った際の処理の手順を示すフローチャートである。まず、Ｓ３０１でホスト装置３０１からジョブデータを受信する。ＣＰＵ２０３は、受信したジョブデータを解析して画像出力（印刷）に用いる用紙種類情報および色補正データの取得要求の有無を識別する（Ｓ３０２）。その識別の結果、色補正データの取得要求がないジョブデータであった場合には、ＣＰＵ１０４に対してジョブデータの受信と用紙種類情報を含む印刷指定情報を通知し、画像データの受信を開始する（Ｓ３０９）。そして、出力途中で停止するなどの支障が出ないライン分の画像データのバッファ格納および画像処理が完了した時点で、画像出力を開始し、画像データを全て出力し終えたところで本処理を終了する（Ｓ３１０）。本実施例において、ジョブデータには、印刷に用いる用紙種類、サイズなどの印刷指定情報が含まれる。画像出力の開始前に、ＣＰＵ１０４は、ＣＰＵ２０３から通知された印刷指定情報と、印刷装置１０１に設置された操作部１１０を介してユーザにより設定された用紙種類、サイズとが一致するか否かの確認を行う。そして、確認の結果が不一致の場合には、操作部１１０の表示装置を用いてユーザに対して用紙の交換を促す。交換完了までは、画像出力を開始することなく待機するが、画像データは継続受信して二次記憶部１１３に格納する。
【００２８】
Ｓ３０２での識別の結果、色補正データの取得要求を有する場合には、ＣＰＵ２０３はＣＰＵ１０４に対してジョブデータの受信、および色補正データの取得要求と用紙種類情報を含む印刷指定情報を通知する。その通知を受信したＣＰＵ１０４は、用紙種類情報に基づいて、二次記憶部１１３内に一致する色補正データが格納されているか否かを判定する（Ｓ３０３）。その場合に、ＣＰＵ１０４は、ＲＴＣ１１１から日時情報を取得し、二次記憶部１１３内に格納されている色補正データに付属している色補正データの取得日時と比較し、所定の格納期間が経過している色補正データについては不一致として判定する。そのことで使用環境の変化にも対応することができる。Ｓ３０３において一致する色補正データが格納されている（若しくは所定の格納期間以内である）と判定された場合には、ＣＰＵ１０４は、ＣＰＵ２０３に対して色補正データが格納されていることを通知する。ＣＰＵ１０４は、その対象の色補正データを二次記憶部１１３から読み出し、ＣＰＵ２０３に送信する。その対象の色補正データを受信したＣＰＵ２０３は、ＬＡＮインタフェース２０６およびＬＡＮ２０７を介して、ジョブデータ送信元となるホスト装置３０１に対して色補正データを送信する（Ｓ３１１）。色補正データを受信したホスト装置３０１は、ドライバソフトウェア上で色補正データと理想値との比較差分により色補正パラメータを算出する。そして、出力対象の画像データに対して印刷装置１０１での出力色がホスト装置３０１での表示色と一致するように色補正処理を行った後、印刷装置１０１に送信する。その際に、印刷装置１０１は、色補正処理が行われた画像データの受信を待ち（Ｓ３０９）、同様に画像データを全て出力して本処理を終了する（Ｓ３１０）。
【００２９】
Ｓ３０３において、用紙種類が異なる又は予め定められた期間を超えた色補正データしか格納されておらず、一致する色補正データが存在しなかった場合には、ＣＰＵ１０４は、ＣＰＵ２０３に対してホスト装置３０１へのテストパターンの送信要求を指示する。その送信要求を受け、ＣＰＵ２０３は、ＬＡＮインタフェース２０６およびＬＡＮ２０７を介して、ホスト装置３０１に対してテストパターンの送信要求を行う（Ｓ３０４）。ホスト装置３０１は、テストパターンの送信要求を受け、装置内に有する色補正データ取得用のテストパターンデータの送信を行い、印刷装置１０１から色補正データが送信されるまで待機する。印刷装置１０１は、テストパターンデータが受信されるまで待機する（Ｓ３０５）。印刷装置１０１は、テストパターンを受信し終わると、通常の画像データと同様に、画像処理部１０７による画像処理を行った後、プリンタエンジン１０３を用いてテストパターンの出力を行う（Ｓ３０６）。
【００３０】
この際、ジョブデータでの指定に一致する種類の用紙を用いてテストパターンの出力を行う必要があるので、前述と同様に印刷装置１０１に設置された用紙が、操作部１１０を介してユーザにより設定された用紙種類、サイズと一致するか否かの確認を行う。若しくは、必要に応じて、ユーザによる用紙の交換を待つ。テストパターンの出力が完了すると、測色部１１５を用いて出力済みのテストパターンから色味情報を読み込み、色補正データを取得する（Ｓ３０７）。色補正データの取得が完了すると、ＣＰＵ１０４はＣＰＵ２０３を介して印刷装置１０１に色補正データを送る。また、同時に、ＣＰＵ１０４は、ＲＴＣ１１１から色補正データの取得時刻を読み取り、使用した用紙種類情報と合わせて二次記憶部１１３に色補正データを格納する（Ｓ３０８）。以降、前述のように、ホスト装置３０１は、色補正パラメータの算出および画像データへの色補正処理を行った後、印刷装置１０１に画像データの送信を行い、印刷装置１０１は、前述のＳ３０９を介して、Ｓ３１０において画像出力を完了する。
【００３１】
次に、図６を参照しながら、印刷装置１０１を省電力状態に移行する際の処理の手順を説明する。図６は、印刷装置１０１が省電力状態に移行する際の処理の手順を示すフローチャートである。まず、Ｓ４０１で省電力状態への移行条件が成立した時、ここでは、ＣＰＵ１０４が予め定められた期間、ＣＰＵ２０３からのジョブデータの受信通知、および操作部１１０を用いたユーザ操作が無いことを認識すると、省電力状態への移行処理を開始する。ＣＰＵ１０４は、ＣＰＵ２０３に省電力状態への移行通知をした後、印刷装置１０１に設置され、操作部１１０を介してユーザにより設定された用紙種類情報を読み取る。そして、ＣＰＵ１０４は、該当する用紙種類に対応する色補正データが二次記憶部１１３に格納されているか否かを判定する（Ｓ４０２）。ここで、該当する色補正データが格納されていると判定された場合に、該当の色補正データに付属する色補正データ取得の日時情報とＲＴＣ１１１から取得した日時情報とを比較する。その結果、色補正データが予め定められた期間の経過前のデータであった場合には、ＣＰＵ２０３を介して二次記憶部１１３内の色補正データを用紙種類情報と合わせて、ＲＡＭ２０５にコピーして格納する（Ｓ４０３）。同時に、ＣＰＵ２０３が制御するカウンタプログラムに対して、ＲＡＭ２０５に格納した色補正データの有効期間として予め定められた期間終了までの残時間を算出する。さらに、省電力状態の間、必要となるステータス情報等をＲＡＭ２０５に格納した後、省電力状態への移行準備が完了したことをＣＰＵ２０３に通知する。その通知を受信したＣＰＵ２０３は、拡張インタフェースのリンクを切断し、ポート信号５０２を用いてスイッチ回路５０３を切替え、コントローラユニット１０２への電力供給を停止することで省電力状態に移行する（Ｓ４０４）。なお、ＣＰＵ２０３は省電力状態においても電力供給が継続されて独立動作可能なため、前述のカウンタプログラムを継続して駆動させ、ＲＡＭ２０５に格納された色補正データの有効期間を管理することができる。また、ＲＡＭ２０５において色補正データが格納される領域は、画像データ受信時にバッファ領域として用いられる領域であり、画像データ受信後は上書き消去される。一方、Ｓ４０２において該当する色補正データが存在しなかった場合には、Ｓ４０３の補正データのＲＡＭ２０５へのコピーに関する処理を除く処理により省電力状態と移行する。
【００３２】
次に、図７を参照しながら、印刷装置１０１が省電力状態から通常動作状態に復帰する際の処理を説明する。図７は、印刷装置１０１が省電力状態からジョブデータを受信して通常動作状態に復帰する際の処理の手順を示すフローチャートである。まず、Ｓ５０１で印刷装置１０１が省電力状態にある場合に、ホスト装置３０１からジョブデータを受信すると、ＣＰＵ２０３は受信したジョブデータを解析して画像出力に用いる用紙種類情報、および色補正データの取得要求の有無を識別する（Ｓ５０２）。ここで、色補正データの取得要求が無いジョブデータである場合には、画像データの受信を待つ（Ｓ５０５）。画像データの受信を開始すると、ＣＰＵ２０３は、ポート信号５０２を用いて、スイッチ回路５０３を切替え、コントローラユニット１０２への電力供給を再開する。そして、コントローラユニット１０２の初期化動作が完了した後、拡張インタフェースのリンクを確立して、印刷装置１０１を通常動作状態へ復帰させる（Ｓ５０６）。その後、画像出力（印刷）を行い、本処理を終了する（Ｓ５０７）。
【００３３】
一方、Ｓ５０２において色補正データの取得要求がある場合には、ＣＰＵ２０３は、用紙種類情報に基づき、ＲＡＭ２０５内に記録されている色補正データを参照し、その用紙種類に対応する色補正データが格納されているか否かを判定する（Ｓ５０３）。なお、ＲＡＭ２０５内の色補正データが上述の有効期間を超えている場合にはその用紙種類に対応する色補正データが格納されていないと判定する。一致する色補正データが格納されていないと判定された場合には、Ｓ５０６と同様の手順により、印刷装置１０１全体を通常動作状態に復帰させる（Ｓ５０８）。その後、通常動作状態におけるＳ３０３以降の処理を行い、画像出力を終了する。
【００３４】
Ｓ５０３でＲＡＭ２０５内に一致する色補正データが格納されていると判定された場合に、ＣＰＵ２０３はＲＡＭ２０５から対象となる色補正データを読み出し、ジョブデータ送信元であるホスト装置３０１に対してその色補正データを送信する（Ｓ５０４）。そして、印刷装置１０１は、ホスト装置３０１から色補正が施された画像データの受信を待つ（Ｓ５０５）。画像データの受信を開始すると、ＣＰＵ２０３は、ポート信号５０２を用いて、スイッチ回路５０３を切替え、コントローラユニット１０２への電力供給を再開する。そして、コントローラユニット１０２の初期化動作が完了した後、拡張インタフェースのリンクを確立して、印刷装置１０１を通常動作状態へ復帰させる（Ｓ５０６）。その後、画像出力を行い、本処理を終了する（Ｓ５０７）。
【００３５】
以上の手順によって、印刷装置１０１は、省電力状態下における色補正データの取得要求に対して、即時利用可能なデータが存在する場合には、印刷装置１０１の省電力状態を継続したまま応答することができる。
【００３６】
なお、本実施例では、印刷装置としてインクジェット記録方式を採用したカラープリンタとしたが、これに限らず、レーザビームプリンタ等、他の記録方式による印刷装置や複写装置等を用いても良い。また、本実施例では、省電力状態移行後も給電が継続される機能ブロックを拡張ボードとして分離させる構成としている。しかしながら、これに限らず、コントローラユニット上を部分的に電力供給継続状態にする構成であっても良い。さらには、本実施例では、用紙種類情報は操作部を用いたユーザによる設定としたが、これに限らず、センサ等を用いて用紙種類を判別するようにしても良い。そのことにより、設置された用紙種類との一致の確実性をより向上させることができる。また、本実施例では、ＲＴＣ１１１を省電力状態において電力供給が停止されるコントローラユニット１０２上に構成したが、これに限らず、拡張ボード２０１上のＣＰＵ２０３と直接通信可能な箇所に構成しても良い。これにより、省電力状態への移行時、ＣＰＵ２０３が制御するカウンタプログラムでＲＡＭ２０５に格納する色補正データの有効期間を管理する構成において、予め定められた期間との比較を直接ＲＴＣ１１１の日時情報と比較するようにする。その結果、構成の簡略化ができる。さらには、本実施例では、二次記憶部１１３内の対象となる色補正データをＲＡＭ２０５にコピーする構成としたが、これに限らず二次記憶部１１３から移動するようにしても良い。但し、ＲＡＭ２０５に移動した色補正データを通常動作状態復帰後も再度使用することを考慮する場合には、二次記憶部１１３への書き戻しを行い、かつ、書き戻し完了まで上書き消去されることのないＲＡＭ２０５内の領域へ移動しておく。
【００３７】
また、本実施例では、使用環境の変化に対応するため印刷装置１０１で記憶する色補正データの有効期間を時間経過により判断しているが、これに限らず、温度センサや湿度センサを用いて、その変化量に応じて有効・無効を切替えても良い。加えて、時間経過と温度センサ、湿度センサの各変化量を組み合わせて用いることで、より使用環境の変化に厳密に対応するようにしても良い。
【００３８】
さらに、本実施例では、印刷装置１０１から色補正データをホスト装置３０１に送信後に、ホスト装置３０１から受信するデータは色補正済みの出力画像データとしている。しかしながら、これに限らず、画像処理部１０７で使用するルックアップテーブル等を同時に受信するようにしても良い。
【００３９】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2012224079.tif 000003
【図２】
2012224079.tif 000004
【図３】
2012224079.tif 000005
【図４】
2012224079.tif 000006
【図５】
2012224079.tif 000007
【図６】
2012224079.tif 000008
【図７】
2012224079.tif 000009